(57)【要約】【課題】分割された２本のガイドレールを上下・前後のずれなく一直線状態にする。【解決手段】一端部に外方突出状の連結片２０を有する、車輪３５用の案内溝１３を有する左側のガイドレール９と、一端部に前記連結片２０が嵌まる嵌合凹所１９を有する、車輪３５用の案内溝１３を有する右側のガイドレール９とを有し、前記連結片２０を嵌合凹所１９に嵌めることにより左側のガイドレール９と右側のガイドレール９とが一直線状に連結されている。【選択図】　図３
2004100155.tif 000002
【特許請求の範囲】
【請求項１】
一端部に外方突出状の連結片を有する、引き戸用の案内溝を有する第１ガイドレールと、一端部に前記連結片が嵌まる嵌合凹所を有する、引き戸用の案内溝を有する第２ガイドレールとを有し、前記連結片を嵌合凹所に嵌めることにより第１ガイドレールと第２ガイドレールとが一直線状に連結されるようになされている引き戸用のガイドレールの組み合わせ。
【請求項２】
前記両ガイドレールが、収納庫の天板又は底板の前端面に当てられる基部と、基部の下部に連設された、長手方向を左右方向に向けた上向きに開放した、引き戸車輪用の案内溝を有する下部とを有し、前記基部の前部に長手方向を左右方向に向けた溝が形成され、この溝の奥部に前後方向に貫通するねじ挿通孔が形成され、前記溝が閉塞部材により閉塞されるようになされている請求項１記載の引き戸用のガイドレールの組み合わせ。
【請求項３】
前記第１ガイドレールに連結片が嵌まる嵌合凹所が形成され、この嵌合凹所に連結片が、外方端部が突出するようにして嵌められている請求項１又は２記載の引き戸用のガイドレールの組み合わせ。
【発明の詳細な説明】
【０００１】
【発明の属する技術分野】
本発明は引き戸用のガイドレールの組み合わせに関する。
【０００２】
【従来の技術】
施工現場にて収納庫に引き戸を取り付ける場合、例えば、既に建物に造り付けの、引き戸を有しない収納庫に引き戸を取り付ける場合、たとえ収納庫の左右幅が長くてもガイドレールを分割することなく収納庫の左右幅に等しい長さの上下２本のガイドレールや引き戸等を現場に持ち込んだ後、所定の作業を行って引き戸の取り付けを完了していた。このようにするのは、分割された２本以上のガイドレールを上下・前後のずれなく一直線状態にすることが困難であったからである（参考文献　特許第３，１７０，６０９号公報）。
【０００３】
【従来技術の欠点】
前記従来のガイドレールの組み合わせには以下の如き欠点があった。
ガイドレールが長い場合、ガイドレールの運搬（工場から現場までの運搬）の最中にガイドレールが損傷しないように梱包・保護するのが大変であり、また、現場へのガイドレールの搬入も行いにくいという欠点があった。
【０００４】
【前記欠点を解消するための手段】
本発明は前記欠点を解消するために以下の如き手段を採用した。
▲１▼請求項１の発明は、一端部に外方突出状の連結片を有する、引き戸用の案内溝を有する第１ガイドレールと、一端部に前記連結片が嵌まる嵌合凹所を有する、引き戸用の案内溝を有する第２ガイドレールとを有し、前記連結片を嵌合凹所に嵌めることにより第１ガイドレールと第２ガイドレールとが一直線状に連結されるようになされているものである。
▲２▼請求項２の発明は、前記両ガイドレールが、収納庫の天板又は底板の前端面に当てられる基部と、基部の下部に連設された、長手方向を左右方向に向けた上向きに開放した、引き戸車輪用の案内溝を有する下部とを有し、前記基部の前部に長手方向を左右方向に向けた溝が形成され、この溝の奥部に前後方向に貫通するねじ挿通孔が形成され、前記溝が閉塞部材により閉塞されるようになされている請求項１記載のものである。
▲３▼請求項３の発明は、前記第１ガイドレールに連結片が嵌まる嵌合凹所が形成され、この嵌合凹所に連結片が、外方端部が突出するようにして嵌められている請求項１又は２記載のものである。
【０００５】
【発明の効果】
本発明は前記した如き構成によって以下の如き効果を奏する。
▲１▼請求項１の発明によれば、連結片を嵌合凹所に嵌めることにより第１ガイドレールと第２ガイドレールとを上下・前後のずれなく一直線状に簡単に連結することが出来る。その結果、ガイドレールが長い場合、ガイドレールを分割して施工現場に搬入することが出来るので、運搬のための梱包が楽になり、また、現場へのガイドレールの搬入も行いやすい。
▲２▼請求項２の発明によれば、閉塞部材によってガイドレールの取り付けねじを隠蔽することが出来るので、見栄えをよくすることが出来る。
▲３▼請求項３の発明によれば、第１ガイドレールへの連結片の取り付けを簡単に行うことが出来る。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
前部に出し入れ口２を有する収納庫１は、天板４、底板５、左右の側板６及び背板７を有している。
【０００８】
前記天板４の前端面に、長手方向を左右方向に向けた左側のガイドレール９（請求の範囲でいう第１ガイドレール）（長さ「Ｌ」）と右側のガイドレール９（請求の範囲でいう第２ガイドレール）（長さ「Ｌ」）とが、一直線状に並ぶようにして後で詳述する手段により取り付けられている。
【０００９】
前記左右のガイドレール９は、収納庫１の天板４の前端面に当てられる基部１２と、この基部１２の下部に連設された、長手方向を左右方向に向けた上向きに開放した、後述の車輪３５用の案内溝１３を有する下部１４と、基部１２の上部に連設された断面倒Ｌ字状の上部１５とを有している。
前記基部１２の後部上下部に長手方向を左右方向に向けた溝１６が形成され、また、下部１４の下部に長手方向を左右方向に向けた孔１７が形成されている。左側のガイドレール９と右側のガイドレール９とが突き合う部分の、溝１６及び孔１７が嵌合凹所１９となされている。
左側のガイドレール９の嵌合凹所１９に連結片２０が外方端部（右側端部）が突出するようにして嵌め止められ、これら連結片２０の右側突出部が右側のガイドレール９の嵌合凹所１９に嵌め止められている。
【００１０】
前記基部１２の前部に長手方向を左右方向に向けた溝２２が形成され、この溝２２の奥部に前後方向に貫通する所要個のねじ挿通孔２３が形成され、これらねじ挿通孔２３を通じてねじ２４（この明細書ではねじには釘も含まれる。）を、天板４にねじ嵌めることにより、ガイドレール９は天板４に固定されている。
【００１１】
前記溝２２は可撓性を有する又は有しない閉塞部材２５により閉塞されている。
【００１２】
左側のガイドレール９の左端及び右側のガイドレール９の右端にはエンドキャップ（図示略）が嵌め止められている。
【００１３】
前記底板５の前端面にも、天板４の前端面と同様にガイドレール９が取り付けられている。
【００１４】
出し入れ口２の半分（左右方向の半分）を覆うことが出来る引き戸２７の上部の左右部及び下部の左右部に以下に詳述する車輪ユニット２８が取り付けられている。
車輪ユニット２８は、後面に長手方向を左右方向に向けた複数の小さな突条２９を上下方向に所定間隔で有する基板３０と、この基板３０に対して上下位置調節可能となされた、突条２９の間に入り込む複数の小さな突条３２を前面に有するブラケット３３と、このブラケット３３に軸心を前後方向に向けた支軸３４を介して回転自在に嵌められた車輪３５とを有している。なお、下側の車輪ユニット２８は、上側の車輪ユニット２８を上下逆転させた状態で引き戸２７に取り付けられている。
【００１５】
前記ブラケット３３に形成された上下方向に長い長孔３７、基板３０に形成された前後方向に貫通する孔３８を通じて、ねじ３９を引き戸２７にねじ嵌めることにより、基板３０とブラケット３３とが一挙に引き戸２７に固定されている。
前記車輪３５は下部１４と上部１５との間に位置させられ、車輪３５の下部が案内溝１３に嵌められている。
【００１６】
以下、ガイドレール９及び引き戸２７の取り付け方法の１例について説明する。
まず、ガイドレール９を一直線状に連結し、ブラケット３３のみが付随した車輪３５を下部１４と上部１５との間に入れる。
その後、ガイドレール９にエンドキャップ（図示略）を嵌める。
その後、上側のガイドレール９を天板４に、下側のガイドレール９を底板５に固定する。
その後、閉塞部材２５により溝２２を閉塞する。
その後、車輪３５と引き戸２７との位置調節を行って、基板３０及びブラケット３３を引き戸２７にねじ３９により固定する。
【００１７】
【変形例等】
以下に変形例等について説明を加える。
（１）２本以上のガイドレール９を一直線状に連結するようにしてもよい。相互に隣接するガイドレール９の一方が第１ガイドレールで、他方が第２ガイドレールとなる。
（２）連結片２０は少なくとも１つあればよい。
（３）閉塞部材２５は基部１２の前面全体を覆うものであってもよい。
（４）車輪ユニット２８の構造は任意である。
（５）突条２９、３２は滑り止め機構の一例であり、基板３０とブラケット３３との当接面に突条２９、３２以外の滑り止め機構を設けるようにしてもよい。
（６）案内溝は、引き戸を直接にガイドするものであってもよい。
【図面の簡単な説明】
【図１】本発明の実施の形態を示す簡略正面図である。
【図２】図１のＡ部分の、引き戸を削除した拡大断面図である。
【図３】図２のＩＩＩ−ＩＩＩ線断面図である。
【符号の説明】
９　ガイドレール
１２　基部
１３　案内溝
１４　下部
１５　上部
１９　嵌合凹所
２０　連結片
２２　溝
２３　ねじ挿通孔
２４　ねじ
２５　閉塞部材
【図１】
2004100155.tif 000003
【図２】
2004100155.tif 000004
【図３】
2004100155.tif 000005